(57)【要約】      （修正有）【課題】釣り人がウキを川水または海水に投入したときに、ウキが着水したことを知らせてウキの位置がわかるように、魚信があって前アタリの状態を知らせて本アタリに備えることができ、さらに本アタリも知らせることで釣果を増大させることが可能とする電気ウキを提供する。【解決手段】ウキケース内に備えた発光ダイオード２０２と、発光ダイオード２０２の発光状態を可変する制御装置２０１，２０３，２０４，２０５と、この制御装置２０１，２０３，２０４，２０５に接続され、ウキの内側から外側に露出した複数の電極１０１，１０２，１０３と、それぞれの電極１０１，１０２，１０３が川水または海水との接触状態を検知する電極容量検知手段２０３と、複数の電極１０１，１０２，１０３は、ウキが川水または海水に着水したときに水面より下側に配置した第一電極１０１と、水面より上側に配置した第二電極１０２との少なくとも２つの電極を備えている。【選択図】図３
2016015900.tif 000002
【特許請求の範囲】
【請求項１】
ウキケースと、
前記ウキケース内に発光ダイオードと、前記発光ダイオードの発光状態を可変する制御装置と、
前記制御装置に接続され、前記ウキケースの外側に配置された複数の電極と、を備え、
前記電極は、前記ウキが川水または海水に着水し立ったときに水面より下側に配置した第一電極と、水面より上側に配置した第二電極と、の少なくとも２つの電極を備え、
前記制御装置は、前記複数の電極のそれぞれの電極が川水または海水との接触状態を検知する電極容量検知手段を備えたことを特徴とする電気ウキ。
【請求項２】
前記制御装置は、前記第一の電極が川水または海水に接触し着水したことを検知して前記発光ダイオードを第一の発光モードで発光し、
前記着水し立ったあと第二の電極が川水または海水に接触するのを待機する間に第二の発光モードで発光し、
さらに前記第二の電極が川水または海水に接触したことを検知したとき、前記発光ダイオードを第三の発光モードで発光する、
発光モードを可変する手段を備えたことを特徴とする請求項１記載の電気ウキ。
【請求項３】
前記第二電極からさらに前記水面より距離を離した位置に第三の電極を備え、
前記制御装置は、第三の電極が川水または海水に接触したことを検知して前記発光ダイオードを第四の発光モードで発光させる発光モードを可変する手段を備えたことを特徴とする請求項２記載の電気ウキ。
【発明の詳細な説明】
【技術分野】
【０００１】
本発明は、ウキの水没具合に応じて発光ダイオードの発光状態を変化させる構成の電気ウキに関する。          
【背景技術】
【０００２】
夜釣りに使用される電気ウキは、釣人に明確な魚信を知らせるため、ウキが水没することに伴って点灯状態を変化させる技術が提案されている。ウキの水没具合に応じて発光色が変化する技術が例えば特許文献１に開示されている。
【先行技術文献】
【特許文献】
【０００３】
【特許文献１】特開平８−１９６１７６
【発明の概要】
【発明が解決しようとする課題】
【０００４】
上記従来技術は、電気ウキ内部に設けた異なる色、異なる輝度の発光ダイオードを移動する移動ウキを設けて可動片でスイッチを動作させるもので、可動部構造が複雑であるとともに、魚の前アタリにすばやく対応できるものではなかった。本発明は、釣り人がウキを川水または海水に投入したときに、ウキが着水したことを知らせてウキの位置がわかるようにするとともに、魚信があって前アタリの状態を知らせて本アタリに備えることができるようにするとともに、さらには本アタリもしらせることができるようにして釣果を増大させることが可能とする電気ウキとすることを目的とする。
【課題を解決するための手段】
【０００５】
上記課題を解決するため、本発明の電気ウキは、ウキケースと、ウキケース内に発光ダイオードと、発光ダイオードの発光状態を可変する制御装置と、制御装置に接続され、ウキケースの外側に配置された複数の電極と、を備え、この電極は、ウキが川水または海水に着水し立ったときに水面より下側に配置した第一電極と、水面より上側に配置した第二電極と、の少なくとも２つの電極を備え、制御手段は、複数の電極のそれぞれの電極が川水または海水との接触状態を検知する電極容量検知手段を備えたことを特徴とする。
【０００６】
また、制御装置は、第一の電極が川水または海水に接触し着水したことを検知して発光ダイオードを第一の発光モードで発光し、着水し立ったあと第二の電極が川水または海水に接触するのを待機する間に第二の発光モードで発光し、さらに第二の電極が川水または海水に接触したことを検知したとき、発光ダイオードを第三の発光モードで発光する、発光モードを可変する手段を備えた。
【０００７】
また本発明の電気ウキは、第二電極からさらに水面より距離を離した位置に第三の電極を備え、制御装置は、第三の電極が川水または海水に接触したことを検知して発光ダイオードを第四の発光モードで発光させる発光モードを可変する手段を備えた。
【発明の効果】
【０００８】
本発明の電気ウキによると、本発明の電気ウキは、ウキケースと、ウキケース内に発光ダイオードと、発光ダイオードの発光状態を可変する制御装置と、制御装置に接続され、ウキケースの外側に配置された複数の電極と、を備え、この電極は、ウキが川水または海水に着水し立ったときに水面より下側に配置した第一電極と、水面より上側に配置した第二電極と、の少なくとも２つの電極を備え、制御手段は、複数の電極のそれぞれの電極が川水または海水との接触状態を検知する電極容量検知手段を備えたことにより、ウキが投入されて水面に着水し立ったことを第一電極で検知することができるとともに、魚信があってウキが引き込まれて第二電極が水中に接触したことを検知できるようになる。
【０００９】
また、川水または海水との接触状態を検知する手段は、それぞれの電極の静電容量の変化を検知する手段としたことにより、複雑な機構を設けることがなくなるので、機構によるスイッチなどに比べて誤動作が少なくなり、また小型で安価な構成とすることができるようになる。
【００１０】
また、制御装置は、第一の電極が川水または海水に接触し着水したことを検知して発光ダイオードを第一の発光モードで発光し、着水し立ったあと第二の電極が川水または海水に接触するのを待機する間に第二の発光モードで発光し、さらに第二の電極が川水または海水に接触したことを検知したとき、発光ダイオードを第三の発光モードで発光する発光モードを可変する手段を備えたことにより、暗がりで釣人が自分の投入したウキが着水したことを第一の発光モードで認識でき、また、アタリがあるまで、第二の発光モードで発光するので、ウキの位置がわかるので、川や潮の流れでウキが流されていってもウキの位置を判別できるようになる。
また、魚信があり前アタリがあって、ウキが水没しつつあるときに、第三の発光手段モードをもうけたので、魚の前アタリにあわせ易くなる。
【００１１】
また、水面に着水したときに、水面より上に複数の電極を設けたので、一寸だけウキが沈んだ状態、いわゆる前アタリ状態が第二電極で判別できるようになるとともに、次にくるアタリにあわせる準備ができるようになる。また、第三の電極の発光状態で本アタリが判別できるので、本アタリで魚信にあわせることができるようになる。  
【図面の簡単な説明】
【００１２】
【図１】本発明の実施例１に係る電気ウキの外観図である。
【図２】本発明の実施の形態に係る電気ウキ１を水面に投入し浮いた状態図である。
【図３】本発明の実施例１に係る一部断面図である。
【図４】本発明の実施の形態に係るブロック図である。
【図５】本発明の実施の形態に係る電気ウキの使用状態での説明図である。
【図６】本発明の実施の形態に係るフローチャートである。
【発明を実施するための形態】
【００１３】
以下、本発明の実施の形態について、図面を参照しながら詳細に説明していく。
【実施例１】
【００１４】
（電気ウキの構成）
本発明に係る魚釣り用電気ウキについて以下に説明する。図１は、本発明の実施の形態に係る電気ウキの外観図である。電気ウキ1は、ウキケースとしてトップ円筒部２１、上部円錐形部２２、下部円錐形部２３、下端ライン接続部２４を備えている。電気ウキ１の材質は、発泡材、プラスチック、桐材など比重が１より小さいものが適している。大きさは、使用する錘の重量の浮力にあわせて適宜決定する。
トップ円筒部２１には電極１０３を、上部円錐部２２には電極１０２を、下部円錐部２３には電極１０１を設けている。
【００１５】
図２は、本発明の実施の形態に係る電気ウキ１を水面に投入し浮いた状態図である。下部円錐部に設けた電極１０１は水面下に配置し、上部円錐部２２に設けた電極１０２およびトップ円筒部２１に設けた電極１０３は水面より上部にくるように形成している。電極は後述するように内部の制御基板と接続されている。電極の材質は、アルミニウム、銅、ステンレスなどの金属や導電性ゴムなどが使用できる。図２では、周回するように形成した電極で示しているが、とくにこだわるものではなく、リード線を制御基板から直接露出しても四角や丸い形状の電極板を設けた構成としてもよい。
【００１６】
図３は、本発明の実施の形態に係る電気ウキの一部断面図である。
電気ウキ１の内部には、制御基板２０１、発光ダイオード（以下ＬＥＤと記載する）２０２、半導体集積回路２０３、ＬＥＤドライブ回路２０４、ＤＣ−ＤＣコンバータ２０５、制御基板２０１から電極に接続するリード線２０６a、２０６ｂ、２０６ｃ、電池部２０７を備えている。
制御基板２０１は、電気ウキ上部円錐部２２及び下部円錐部２３の内部に固定されている（図示しない）。ＬＥＤ２０２は、制御基板２０１と接続されて、トップ円筒部２１の内部に配置するようにしている。
半導体集積回路２０３は、マイクロコントローラであり、電極１０１、電極１０３、電極１０３の状態を監視するとともに、それぞれの電極状態に応じたＬＥＤの発光モードを動作させる。
【００１７】
ＬＥＤドライブ回路２０４は、半導体集積回路２０３の信号をもとにＬＥＤ２０２の動作電流を好適にドライブして、高輝度の発光状態にして、視認性を良くする。
電池部２０７は、釣りでよく用いられている電圧が３Ｖの棒状のＰＩＮ型電池でもよいが、ＤＣ−ＤＣ−コンバータ２０５で小電圧から昇圧すれば、ＬＥＤ２０２に流す電流をうまく調整できて好適である。例えば、従来の釣りで用いられるピン型の電池は１本では３Ｖなので、高輝度ＬＥＤのＶＦが３．５ＶのＬＥＤでは２本以上用いなくてはならなかったので、大型にならざるを得なかった。本実施の形態では、１．５Ｖから５Ｖに昇圧することができるので、電池部２０２をボタン電池など１．５Ｖの小型の電池を搭載できるので、ＶＦが３．５Ｖの高輝度の白色ＬＥＤも発光させることが可能となる。
制御基板２０１からは、各電極１０１、１０２、１０３にリード線２０６ａ、２０６ｂ、２０６ｃで接続されている。
（制御）
【００１８】
図４は、本発明の実施の形態に係るブロック図である。
制御部４０１は初期状態での各電極１０１、１０２、１０３の状態を電極状態検出部４０２で検出して記憶部４０３に格納する。そして、各電極１０１、１０２、１０３の状態を定期的に検出して、初期状態の検出値と比各部４０４で比較する。電極状態が所定量以上に変化があったら、変化した電極に応じた信号を作成してＬＥＤ駆動部４０５を駆動させて、ＬＥＤの発光状態を変化させる。
電極状態検出部４０２は、例えば、マイクロチップ社のＰＩＣの一部に備えられている静電容量式センシングモジュール(CSM)を使用すると好適である。この静電容量式センシングモジュールを用いると、ＰＩＣの該当する端子に電極を接続するだけで、電極検出部を構成することができる。すなわち、複雑なスイッチ機構などを設けずに、容量の変化値（閾値）を最適に設定するだけで、構成させることができる。
【００１９】
図５は、本発明の実施の形態に係る電気ウキの使用状態での説明図である。
図５（ａ）は、電気ウキ１が水面に投入されて下部円錐部２３に設けた電極１０１に接触した図である。電極１０１に接触すると、電極状態検出部４０２は電極１０１が水面に接触したことを検出して、ＬＥＤ２０２によって着水したことを知らせる第一の発光モードを動作させる。例えば、５〜１０回の短い点滅でＬＥＤを発光させると着水し立ったことがわかり易い。
【００２０】
着水し立ったことを知らせる第一の発光モードを動作させたあと、図５（ｂ）に示すように魚信待ちの待機モードとして、定期的にＬＥＤ２０２を点滅させる第二の発光モードで発光させる。例えば０．５〜1秒程度の周期で点灯、消灯を繰り返すとよい。このようにすることで、点灯状態を保つよりも消費電力を低減させることができるとともに、夜間の暗闇のなかで電気ウキの位置を知らせることができるようになるので、魚信（前アタリ）を待つことができるようになる。
【００２１】
図５（ｃ）は、魚の魚信があり、前アタリ状態を示す図である。魚が餌を食指していて電気ウキが電極１０２まで引き込んだときに、電極状態検出部４０２は上部円錐部に設けた電極１０２に接触したことを検出して、ＬＥＤ２０２によって前あたりしたことを知らせる第三の発光モードを動作させる。例えば、短い点滅で発光させることで注意を喚起させて前アタリを知ることができ、本アタリに備えることができるようになる。
【００２２】
図５（ｄ）は、魚の本アタリ状態を示す図である。
図５（ｄ）に示すように、トップ円筒部２１に設けた電極１０３が水面に引き込まれると、電極状態検出部４０２はトップ円筒部２１に設けた電極１０３が水面に接触したことを検出し、ＬＥＤ２０２によって本アタリしたことを知らせる第四の発光モードを動作させる。例えば、ＬＥＤを点灯状態に保持する。
このようにすることで、魚信にあわせることができるようになるので、釣果が増大することができるようになる。
【００２３】
図６は、本発明の実施の形態に係るフローチャートである。
電源が搭載されて開始されると、容量検知モジュールの初期値が取得される（ＳＴＥＰ１）。そして接続されている全電極の容量検知モジュールの初期値が取得されたかどうかを判別し（ＳＴＥＰ２）接続されている全電極の容量検知モジュールの初期値を取得するまで繰り返す。
【００２４】
全ての容量検知モジュールの初期値が取得されると、電極１０１の容量検知モジュールの現在値を取得する（ＳＴＥＰ３）。電極１０１の容量検知モジュールの値が着水したことを感知すると（ＳＴＥＰ４），ＬＥＤ２０２を点滅させる（ＳＴＥＰ６）。電極１０１の容量検知モジュールの値が着水したことを感知しないときは、ＬＥＤ２０２を消灯し、電極１０１の着水を検知するのを待つ。
【００２５】
電極１０１が着水した状態で、電極１０２の容量検知モジュールの値が感知したら（ＳＴＥＰ８）、すなわち前アタリ状態のときは、ＬＥＤ２０２を点滅させる（ＳＴＥＰ１０）。電極１０１が着水した状態で、電極１０２の容量検知モジュールの値が感知しないときは（ＳＴＥＰ８）、所定の時間がくるまで待機し（ＳＴＥＰ９）、所定の時間がたったらＬＥＤ２０２を反転させる。すなわち、点灯していたら消灯し、消灯していたら点灯させる。これにより定期的に点灯、消灯の動作をさせることができる。
【００２６】
次に、電極１０１、電極１０２が感知した状態で、すなわち両電極が水面下にあって、電極１０３が感知したら、すなわち本アタリと感知したら、ＬＥＤ２０２を点灯状態にする（ＳＴＥＰ１２）。
これの構成により、着水モード、前アタリ状態、本アタリ状態の３種類のＬＥＤ２０２の発光モードを作り出すことができるので、釣果がきたいできる電気ウキを提供できるようになる。
【００２７】
本実施例では、電極を３つ、すなわち着水したときに、水面下側に備えた電極と、水面上側に備えた２つの合計３つの電極の構成で説明したが、水面上側にくる電極は１つとした構成でもよい。魚の習性によっては、前アタリがほとんどなく、いきなり水中に引き込む魚もあり、このような魚に対しては2つの電極でも十分釣果が期待できるものである。
【産業上の利用可能性】
【００２８】
本発明は、夜間の釣りに使用する電気ウキとして利用できる。
【符号の説明】
【００２９】
１    電気ウキ
２１  トップ円筒部
２２  上部円錐形部
２３  下部円錐形部
１０１、１０２、１０３    電極
２０１    制御基板
２０２    ＬＥＤ
２０３    半導体集積回路
２０４    ＬＥＤドライブ回路
２０５    ＤＣ−ＤＣコンバータ
２０７    電池
【図１】
2016015900.tif 000003
【図２】
2016015900.tif 000004
【図３】
2016015900.tif 000005
【図４】
2016015900.tif 000006
【図５】
2016015900.tif 000007
【図６】
2016015900.tif 000008